(57)【要約】  フロアパネルが示されており、当該パネルは、２つのパネルの鉛直方向の移動の間、舌部用溝の中に一方向に移動される移動可能な舌部を含む短縁部での鉛直固定システムが設けられている。
2014526004.tif 000002
【特許請求の範囲】
【請求項１】
第１及び第２の建築用パネル（１,１’）の互いに対する鉛直方向の移動による、当該第１及び第２の建築用パネル（１,１’）の鉛直方向の固定のための固定システム、が設けられており、
移動可能な舌部（３０）が、前記第１の建築用パネルの縁部に設けられた、横方向に開口した移動溝（４０）の中に、取り付けられており、
前記舌部は、前記第２の建築用パネルの隣接縁部に設けられた舌部用溝（２０）と、前記縁部及び前記隣接縁部を鉛直方向に固定するために、協働するようになっており、
ストリップ部（６）が、前記移動溝の下方において、前記縁部の上部を越えて外側に突出しているか、または、前記舌部用溝の下方において、前記隣接縁部の上部を越えて外側に突出している、
建築用パネルであって、
前記移動可能な舌部（３０）は、その外側部に、前記隣接縁部に形成された引抜用突出部（２１）と協働するべく形成された、引抜用延長部（３１）を有しており、前記移動可能な舌部（３０）は、前記パネルの縁部同士が互いに対して鉛直方向に移動されるときに、前記移動溝（４０）から引き抜かれて前記舌部用溝（２０）に引き入れられる
ことを特徴とする建築用パネル。
【請求項２】
前記引抜用突出部の一部は、前記舌部用溝（２０）の一部である
ことを特徴とする請求項１に記載の建築用パネル。
【請求項３】
前記引抜用延長部（３１）及び前記引抜用突出部（２１）は、前記パネルの主水平面（ＨＰ）に対して傾斜されている
ことを特徴とする請求項１または２に記載の建築用パネル。
【請求項４】
前記移動可能な舌部（３０）は、固定後に当該舌部が前記移動溝（４０）の中に滑り戻ることを防ぐ固定フック（３４）を有する
ことを特徴とする請求項１乃至３のいずれかに記載の建築用パネル。
【請求項５】
前記固定フック（３４）は、前記移動溝（４０）の外側部に対して固定する
ことを特徴とする請求項４に記載の建築用パネル。
【請求項６】
当該建築用パネルは、フロアパネルである
ことを特徴とする請求項１乃至５のいずれかに記載の建築用パネル。
【発明の詳細な説明】
【技術分野】
【０００１】
本発明は、概して、フロアパネル及び建築用パネルの機械的固定システム、並びに、舌部を溝に挿入するための製造方法の分野に関する。
【発明の概要】
【０００２】
（発明の適用分野）
本発明の実施の形態は、フロアパネルに一体化された固定システム、すなわち工場で取り付けられた固定システムによって機械的に結合されるフロアパネルで形成される浮床での用途に特に好適である。前記フロアパネルは、木材あるいは木質ベニア、装飾用積層物、粉末表面（powder-based-surface）あるいは装飾用プラスチック材料からなる単層または多層の上部層と、木質繊維材料あるいはプラスチック材料からなる中間芯材と、好ましくは前記芯材の背面の下部バランシング層（lower balancing layer）と、から形成されている。コルク、リノリウム、ゴム、または例えば板にくっつけられたニードルフェルトのような軟質被覆層の表面と、印刷及び好ましくは光沢処理された表面と、石、タイル、及び同様の材料のような硬質の表面を有するフロアと、を有するフロアパネルが、含まれる。本発明の実施の形態は、例えば、壁用パネル、天井、家具要素等の板材料を好ましくは含む建築用パネルの結合のためにも用いられ得る。
【０００３】
従来技術、公知のシステムの問題、並びに本発明の目的及び特徴についての以下の説明は、非制限的な例として、とりわけこの適用分野について意図されるとともに、特に、長縁部及び短縁部の両方で互いに機械的に結合されることが意図された当該長縁部及び当該短縁部を有する長方形状のフロアパネルとして形成されたパネルについて意図される。長縁部及び短縁部は、本発明の実施の形態の説明を簡単にするために主に用いられている。パネルは、正方形であり得る。本発明は、好ましくは短縁部で用いられる。本発明は、いかなるフロアパネルにおいても用いられ得ること、及び、少なくとも２つの隣接する側面において水平及び鉛直方向にパネルを接続する機械的固定システムを用いて、フロアパネルが結合されることが意図される、長縁部に形成されるいかなるタイプの公知の固定システムに対しても組み合わされ得ることが、強調されるべきである。
【０００４】
（本発明の背景）
積層状の床（フローリング）は、通常、６乃至１２ｍｍの繊維板の芯材と、積層物の０．２乃至０．８ｍｍの厚さの上部装飾表面層と、積層物、プラスチック、紙等の材料の０．１乃至０．６ｍｍの厚さの下部バランシング層と、を有している。積層物の表面は、メラミン含有紙を有する。最も一般的な芯材材料は、高密度で安定性に優れる一般的にＨＤＦ（高密度繊維板）と呼ばれる繊維板である。時々、ＭＤＦ（中密度繊維板）が芯材として用いられる。
【０００５】
積層状の床（フローリング）は、いわゆる機械的固定システムによって機械的に接続される。これらのシステムは、水平及び鉛直方向にパネルを固定する固定手段を有している。機械的固定システムは、通常、パネルの芯材の機械加工によって形成されている。あるいは、固定システムの一部は、その製造に関連して、フロアパネルに一体化、つまりフロアパネルに結合される、例えばアルミニウムまたはＨＤＦのような、別体の材料から形成され得る。
【０００６】
機械的固定システムを有する浮床の主な利点は、それらは設置することが容易であることである。それらはまた、簡単に再度取り上げられ得て、別の場所でもう一度使用され得る。
【０００７】
（用語の定義）
以下の文章において、設置されたフロアパネルの可視面（視認側の面）は「表面」と呼ばれ、一方、サブフロアを指向するフロアパネルの反対の面は、「背面」と呼ばれる。前後面の間の縁部が、「接続縁部」と呼ばれる。表面層の外側部に平行に延びる面は、「水平面」の意味とされる。２つの互いに結合されたフロアパネルの２つの隣接する接続縁部の並んだ上部は、水平面に直交する「鉛直面」を規定する。鉛直面に平行な固定は、「鉛直方向の固定」の意味とされる。
【０００８】
表面に向かうことは、「上に」によって意味され、背面に向かうことは、「下に」によって意味され、パネルの内部及び中央部に主に水平に向かうことは、「内側に」によって意味され、パネルの内部及び中央部から主に水平に離れることは、「外側に」によって意味される。
【０００９】
フロアパネルを鉛直及び／または水平に接続する、協働の接続要素が、「固定システム」によって意味される。
【００１０】
（関連技術とその問題）
鉛直方向及び長縁部及び短縁部に直交する第１の水平方向における当該長縁部及び短縁部の機械的接続のために、様々な方法が用いられ得る。最も用いられている方法の１つは、アングル−スナップ法である。長縁部は、組み込まれることによって設置される。そして、パネルが、長尺の側に沿って固定位置に移動される。短縁部は、水平方向のスナッピングによって固定される。鉛直方向の接続は、一般的に、舌部と溝である。水平方向の移動の間に、固定要素を有するストリップ部が曲げられて、そして、各縁部が接触したときに、ストリップ部がスプリングバックして固定要素が固定溝に進入し、パネルを水平に固定する。このようなスナップ接続は、ハンマー及びタッピングブロックが、長縁部の間の摩擦を克服して、スナッピング動作の間にストリップ部を曲げるべく用いられる必要があるので、複雑化される。
【００１１】
類似の固定システムは、剛体のストリップ部を有して製造され得て、それらは、短縁部及び長縁部が固定位置に組み込まれるという、アングリング−アングリング法によって接続される。
【００１２】
最近では、一般に「鉛直組み（vertical folding）」と呼ばれる、単一の組み込み動作のみで設置を可能とする、短縁部に一体化された、別体の撓み変形可能または移動可能な舌部を有する、新しく非常に効率的な固定システムが、提案されている。そのようなシステムは、ＷＯ２００６／０４３８９３（ベーリング  イノベーション  アクチボラグ）において説明されている。
【００１３】
様々の型式が、市場で用いられている。最も用いられている型式の１つが、図１ａ乃至図１ｄに示されている。撓み変形可能な舌部３０は、固定動作の間、水平方向に延びる移動溝４０内で移動され、隣接するパネルの舌部用溝２０に入れ込まれる。移動可能な舌部は、各縁部を鉛直方向に固定し、固定溝１４と協働する固定要素を有するストリップ部６が、パネルを水平方向に固定する。固定は、鉛直方向の移動と開脚動作（scissor action）に類似した回転との組合せである。図１ｄに示されるように、舌部は、固定動作の間、一方の内方縁から外方縁へ徐々に内側に移動され、舌部は長さ方向に曲げられる。このようなシステムは、鉛直スナップシステムと称され、組み込み（folding）動作の間の自動的な固定を提供する。
【００１４】
このようなシステムは非常に効率的であるが、改善の余地がある。
【００１５】
高い固定力は、舌部が長さ方向に内側に圧縮され曲げられるときの高いスナッピング抵抗をもって、達成され得るのみである。これは、組み込み中にパネルを押し離そうとする、分離力を生成する。固定は、舌部の撓み変形可能性及び圧縮力が時間経過により減少するときに、その強度を失い得る。
【００１６】
撓み変形可能性は、大きくて、撓み変形可能な舌部が１乃至２ｍｍ程度、２方向に移動されることを可能とする必要がある。そのような舌部を製造するために用いられる材料は、かなり高価であり、グラスファイバーが、撓み変形可能な舌部を補強するために一般的に用いられる。
【００１７】
組み込み中に自動的に固定を行うシステムにおいてスナッピングが排除されれば、大きな利点となり得る。
【００１８】
（発明の概要）
本発明の実施の形態の全体的な目的は、並列に設置される、主として長縁部及び短縁部を有する長方形状のフロアパネルのための固定システムを提供することであり、当該システムは、固定抵抗を生成するスナップ動作及び組み込み中の短縁部の分離力を無しに、短縁部同士が互いに自動的に固定され得ることを可能とする。
【００１９】
特定の目的は、より低い分離力をもって長さ方向に曲げられ得ると共に、固定後に舌部が溝の中に滑り戻ることを防ぐ手段を有する別体の移動可能な舌部を有する固定システムを提供することである。
【００２０】
本発明の実施の形態の前記の目的は、全体的または部分的に、開示による固定システム及びフロアパネルによって達成され得る。本発明の実施の形態は、説明及び図面明らかである。
【００２１】
本発明の一態様は、第１及び第２の建築用パネルの互いに対する鉛直方向の移動による、当該第１及び第２の建築用パネルの鉛直方向の固定のための固定システムが設けられている建築用パネルである。移動可能な舌部が、前記第１の建築用パネルの縁部に設けられた、横方向に開口した移動溝の中に、取り付けられている。前記舌部は、前記第２の建築用パネルの隣接縁部に設けられた舌部用溝と、縁部同士を鉛直方向に固定するために、協働するようになっている。ストリップ部が、前記移動溝の下方において、前記縁部の上部を越えて外側に突出しているか、または、前記舌部用溝の下方において、前記隣接縁部の上部を越えて外側に突出している。前記移動可能な舌部は、その外側部に、隣接するパネルの縁部に形成された引抜用突出部と協働するべく形成された、引抜用延長部を有しており、前記移動可能な舌部は、前記パネルの縁部同士が互いに対して鉛直方向に移動されるときに、前記移動溝から引き抜かれて前記舌部用溝に引き入れられる。
【００２２】
前記引抜用突出部は、前記舌部用溝の一部であり得る。
【００２３】
前記引抜用延長部は、前記パネルの主水平面に対して傾斜され得る。
【００２４】
前記引抜用突出部は、前記パネルの主水平面に対して傾斜され得る。
【００２５】
前記移動可能な舌部は、固定後に当該舌部が前記移動溝の中に滑り戻ることを防ぐ固定フックを設けられ得る。
【００２６】
前記固定フックは、前記移動溝の外側部に対して固定し得る。
【図面の簡単な説明】
【００２７】
本発明は、例示的な実施の形態に関連して、また、添付の例示的な図面の参照によって詳細に、以下に説明される。
【図１ａ−ｄ】図１ａ乃至ｄは、公知技術による固定システムを示す。
【図２ａ−ｅ】図２ａ乃至ｅは、本発明による短縁部固定システムを示す。
【図３ａ−ｃ】図３ａ乃至ｃは、本発明の好ましい実施の形態による短縁部固定システムを示す。
【図４ａ−ｃ】図４ａ乃至ｃは、別体のストリップ部を有する短縁部固定システムの好ましい実施の形態を示す。
【図５ａ−ｅ】図５ａ乃至ｅは、固定されない状態を防ぐ固定フックを有する本発明の一実施の形態による固定システムを示す。
【図６ａ−ｄ】図６ａ乃至ｄは、長さ方向の曲げに関連された、増加された撓み変形可能性を有する、本発明の一実施の形態による舌部を示す。
【図７ａ−ｄ】図７ａ乃至ｄは、舌部を溝内に挿入するための本発明の一実施の形態による方法を示す。
【図８ａ−ｃ】図８ａ乃至ｃは、本発明の一実施の形態を示す。
【発明を実施するための形態】
【００２８】
理解を容易にするために、図面における幾つかの固定システムは、概略的に示されている。実施の形態の組合せを用いることによって、改良されたまたは異なる機能が達成さ得ることが、強調されるべきである。
【００２９】
全ての実施の形態は、別々にまたは組合せで、用いられ得る。角度、寸法、角丸め部品、層の間の空間等は、例に過ぎず、本発明の基本的な原理の範囲で調整され得る。
【００３０】
図２ａ乃至２ｅは、水平方向に延びる移動溝４０内に挿入される、第１のパネル１の縁部において撓み変形可能で移動可能な舌部３０を有する、短縁部固定システムの第１の好ましい実施の形態を示している。移動可能な舌部３０は、舌部引き抜き面３２と舌部固定面３３とを有する引抜用延長部３１を有する。第２の隣接パネル１’は、溝固定面２３を有する舌部用溝２０の一部も構成する溝引き抜き面２２を有する、引抜用突出部２１を有する。前記引き抜き面２２,３２は、鉛直方向の移動の間に協働し、移動可能な舌部３０を舌部用溝２０に引き入れる。引抜用延長部３１は、溝固定面２３に対して固定すると共に第１の鉛直方向での縁部同士の鉛直方向の移動を防ぐ、舌固定面３３を有する。固定ストリップ部６及び隣接パネルの下部３９が、第２の鉛直方向での縁部同士を固定する。固定要素８及び固定溝１４が、上縁部同士によって、水平方向に一緒に縁部同士を固定する。鉛直方向の接続は、図２ｅによって示されるように、水平方向の固定無しに用いられ得る。短縁部は、例えば、長縁部の間の摩擦によって水平方向に固定され得る。
【００３１】
舌部は、ストリップ部６を有するパネル、つまりストリップパネルに形成される移動溝４０内に取り付けられ得るか、図３ａ乃至図３ｃに示されるように、固定溝を有するパネル、つまり溝パネルに形成される移動溝４０内に取り付けられ得る。引抜用突出部２１は、上にまたは下に延び得て、移動溝は、水平面ＨＰに対して傾斜され得る。
【００３２】
図４ａ乃至図４ｃは、別体の材料として形成され得るストリップ部６を示している。引抜用突出部２１は、撓み変形可能であり得て、これは、製造誤差を排除し得て、組み込み中の舌部３０の舌部用溝２０への引き込みの移動を促進する。
【００３３】
図５ａ乃至図５ｅは、舌部３０が溝４０から抜け出ることを防ぐだけでなく、舌部が固定後に滑り出ることを防ぐ、摩擦接続要素として機能し得る固定フック３４を有し得る、移動可能な舌部３０を示している。固定角度Ａ１は、好ましくは約４５度またはそれよりも高い。より高い角度は、舌部用溝２０への移動だけでなく、後方（背面側）への移動も促進する。これは、移動溝４０の上部または下部に対して好ましくは固定するフック接続体３４によって、防がれ得る。フック接続体は、製造中に溝４０に舌部３０を挿入するハンマーによって、溝に押し込まれる。フック３４は、図５ｃに示されるように、移動溝４０に形成された斜面に対して滑る。固定要素８の上部は、好ましくは、図５ｄに示されるように、舌固定面３３の鉛直方向に下に配置される。これは、より強固な固定を付与する。固定システムは、組み込みによって固定と非固定とを可能とする幾何形状を有し得る。
【００３４】
図６ａ乃至図６ｃは、舌部３０の内端縁が、図６ｂに示されるように、固定される位置にあるときと、舌部３０の外端縁が、図６ｄに示されるように、固定されていない位置にあるときと、の組み込みの間に、移動可能な舌部３０が長さ方向に回転及び曲がることを示している。固定機能は、空洞３５が移動可能な舌部３０に形成される場合に、改良され得る。固定は、縁部の固定面３２が、図６ｂ及び図６ｃに示されるように、内側部分での角度よりも低い角度を有する場合にも、改良され得る。空洞３５は、固定フック３４が形成される舌部部分に形成され得る。移動可能な舌部３０は、好ましくは、ポリマー材料を有し得て、好ましくは、射出成形で形成される。
【００３５】
図７ａ乃至図７ｄは、移動溝４０内への舌部３０の挿入の間にレール３６を挿入することによって、上方にフック接続要素を押すために用いられるフック部３４ａを、固定フック３４が有し得ることを示している。
【００３６】
図８ａ乃至図８ｃは、溝内において内側位置から外側位置に舌部が移動されるいかなる固定システムにおいても、固定されない状態を防ぐために、固定フック３４が用いられ得ることを示している。図示の固定システムは、押圧用空洞３７内に配置された押圧突出部３８を有している。押圧突出部は、固定要素８に対して滑り、舌部３０を舌部用溝２０に押し入れる。固定要素８は、好ましくは、舌部３０及び舌部用溝２０の協働固定面２３,３３の鉛直方向に下に配置される。
【図１ａ】
2014526004.tif 000003
【図１ｂ】
2014526004.tif 000004
【図１ｃ】
2014526004.tif 000005
【図１ｄ】
2014526004.tif 000006
【図２ａ】
2014526004.tif 000007
【図２ｂ】
2014526004.tif 000008
【図２ｃ】
2014526004.tif 000009
【図２ｄ】
2014526004.tif 000010
【図２ｅ】
2014526004.tif 000011
【図３ａ】
2014526004.tif 000012
【図３ｂ】
2014526004.tif 000013
【図３ｃ】
2014526004.tif 000014
【図４ａ】
2014526004.tif 000015
【図４ｂ】
2014526004.tif 000016
【図４ｃ】
2014526004.tif 000017
【図５ａ】
2014526004.tif 000018
【図５ｂ】
2014526004.tif 000019
【図５ｃ】
2014526004.tif 000020
【図５ｄ】
2014526004.tif 000021
【図５ｅ】
2014526004.tif 000022
【図６ａ−６ｄ】
2014526004.tif 000023
【図７ａ】
2014526004.tif 000024
【図７ｂ】
2014526004.tif 000025
【図７ｃ】
2014526004.tif 000026
【図７ｄ】
2014526004.tif 000027
【図８ａ】
2014526004.tif 000028
【図８ｂ】
2014526004.tif 000029
【図８ｃ】
2014526004.tif 000030
【国際調査報告】
2014526004.tif 000031
2014526004.tif 000032
2014526004.tif 000033
2014526004.tif 000034